【手続補正書】
【提出日】平成27年6月3日(2015.6.3)
【手続補正１】
【補正対象書類名】特許請求の範囲
【補正対象項目名】全文
【補正方法】変更
【補正の内容】
【特許請求の範囲】
【請求項１】
ソーシャルネットワーキングシステムからソーシャルネットワーキングシステムユーザデータを受け取るソーシャルネットワーキングシステムユーザデータ受取工程であって、前記ソーシャルネットワーキングシステムユーザデータは前記ソーシャルネットワーキングシステムの複数のユーザの各々のユーザ識別子を含む、ソーシャルネットワーキングシステムユーザデータ受取工程と、
サービスプロバイダからサービスプロバイダユーザデータを受け取るサービスプロバイダユーザデータ受取工程であって、前記サービスプロバイダユーザデータは、前記サービスプロバイダの複数のユーザの各々のユーザ識別子を含む、サービスプロバイダユーザデータ受取工程と、
前記ソーシャルネットワーキングシステムと前記サービスプロバイダとの１以上のユーザの各々について、前記識別子を用いて前記ソーシャルネットワーキングシステムのユーザと前記サービスプロバイダのユーザとのマッチングを行うマッチング工程と、
前記ソーシャルネットワーキングシステムユーザデータおよび前記サービスプロバイダユーザデータを結合し、前記ソーシャルネットワーキングシステムおよび前記サービスプロバイダにおいて一致するユーザ識別子を有する１以上のユーザについて集約されたユーザプロフィールを生成するユーザプロフィール生成工程と、
サードパーティのコンテンツリソースから複数のコンテンツアイテムに関する情報を受け取るコンテンツアイテム情報受取工程であって、コンテンツアイテムについて受信される情報は、そのコンテンツアイテムを閲覧する適格を有するユーザの１以上の特性を規定するターゲット基準を含む、コンテンツアイテム情報受取工程と、
閲覧ユーザの集約されたユーザプロフィールにターゲット基準を適用することによって、コンテンツアイテムについて前記閲覧ユーザの適格を判定する判定工程と、
前記判定に基づき、前記閲覧ユーザのためのコンテンツアイテムを選択するコンテンツアイテム選択工程と、
選択したコンテンツアイテムを表示のために前記閲覧ユーザに送るコンテンツアイテム送信工程と、を備える方法。
【請求項２】
サービスプロバイダは、ウェブ制作者、イメージコンテンツプロバイダ、ビデオコンテンツプロバイダ、ニュース制作者、およびサービスプロバイダからなる群から選択される、請求項１に記載の方法。
【請求項３】
ユーザデータは、ユーザの購入履歴、ウェブブラウジング履歴、イメージ閲覧履歴、ビデオコンテンツアイテム閲覧履歴、ニュースコンテンツアイテム閲覧履歴、クリックスルーレート、およびソーシャルネットワーキングシステムデータからなる群から選択される、請求項１に記載の方法。
【請求項４】
ソーシャルネットワーキングシステムまたはサービスプロバイダによって提供される暗号化されたユーザ識別子に応じて、ユーザの交換識別子を確立させる工程をさらに備える、請求項１に記載の方法。
【請求項５】
ソーシャルネットワーキングシステムから受け取られるユーザデータは、ノードとエッジとを含むソーシャルグラフを含み、ノードはオブジェクトを表し、エッジはオブジェクト間の接続を表す、請求項１に記載の方法。
【請求項６】
ユーザプロフィール生成工程は、サービスプロバイダから受け取られるユーザデータをソーシャルグラフ内のノードおよびエッジとして追加することによって帰属の決定されたグラフを生成する工程を含む、請求項５に記載の方法。
【請求項７】
コンテンツアイテムは、広告、ニュース記事、ビデオ、イメージ、およびソーシャルネットワーキングシステムのニュースフィード記事からなる群から選択される、請求項１に記載の方法。
【請求項８】
コンテンツアイテムのターゲット基準に基づきユーザに対して１つ以上のコンテンツアイテムのマッチングを行う工程をさらに備える、請求項１に記載の方法。
【請求項９】
選択したコンテンツアイテムは、該コンテンツアイテムをユーザに表示することから生じる期待される収益に基づき選択される、請求項１に記載の方法。
【請求項１０】
送る工程は、ユーザに対する表示のために制作者に選択したコンテンツアイテムを送る工程を含む、請求項１に記載の方法。
【請求項１１】
サービスプロバイダからユーザを転送するトラッキングピクセルに応じてユーザ情報を受け取る工程であって、前記トラッキングピクセルによってユーザ情報が提供される、前記工程と、
ユーザ情報が既存のユーザ情報と一致しない場合、該ユーザのための交換識別情報を生成する工程をさらに備える、請求項１に記載の方法。
【請求項１２】
前記コンテンツアイテム選択工程は、ユーザデータを用いて複数のアイテムの順位を決定する工程を含む、請求項１に記載の方法。
【請求項１３】
前記ターゲット基準は、前記サービスプロバイダから受信される集約されたユーザプロフィールにおける少なくとも一部のユーザデータと、前記ソーシャルネットワーキングシステムから受信される集約されたユーザプロフィールにおける少なくとも一部のユーザデータとに対し適用される、請求項１に記載の方法。
【請求項１４】
前記ターゲット基準は、前記ソーシャルネットワーキングシステムにおける接続に基づく、請求項１に記載の方法。
【請求項１５】
前記ユーザ識別子は暗号化されている、請求項１に記載の方法。
【請求項１６】
コンピュータプログラムコードを含む非一時的なコンピュータ可読記憶媒体であって、プロセッサによって実行される時、該プロセッサが、
ソーシャルネットワーキングシステムからソーシャルネットワーキングシステムユーザデータを受け取るソーシャルネットワーキングシステムユーザデータ受取工程であって、前記ソーシャルネットワーキングシステムユーザデータは前記ソーシャルネットワーキングシステムの複数のユーザの各々のユーザ識別子を含む、ソーシャルネットワーキングシステムユーザデータ受取工程と、
サービスプロバイダからサービスプロバイダユーザデータを受け取るサービスプロバイダユーザデータ受取工程であって、前記サービスプロバイダユーザデータは、前記サービスプロバイダの複数のユーザの各々のユーザ識別子を含む、サービスプロバイダユーザデータ受取工程と、
前記ソーシャルネットワーキングシステムと前記サービスプロバイダとの１以上のユーザの各々について、前記識別子を用いて前記ソーシャルネットワーキングシステムのユーザと前記サービスプロバイダのユーザとのマッチングを行うマッチング工程と、
前記ソーシャルネットワーキングシステムユーザデータおよび前記サービスプロバイダユーザデータを結合し、前記ソーシャルネットワーキングシステムおよび前記サービスプロバイダにおいて一致するユーザ識別子を有する１以上のユーザについて集約されたユーザプロフィールを生成するユーザプロフィール生成工程と、
サードパーティのコンテンツリソースから複数のコンテンツアイテムに関する情報を受け取るコンテンツアイテム情報受取工程であって、コンテンツアイテムについて受信される情報は、そのコンテンツアイテムを閲覧する適格を有するユーザの１以上の特性を規定するターゲット基準を含む、コンテンツアイテム情報受取工程と、
閲覧ユーザの集約されたユーザプロフィールにターゲット基準を適用することによって、コンテンツアイテムについて前記閲覧ユーザの適格を判定する判定工程と、
前記判定に基づき、前記閲覧ユーザのためのコンテンツアイテムを選択するコンテンツアイテム選択工程と、
選択したコンテンツアイテムを表示のために前記閲覧ユーザに送るコンテンツアイテム送信工程と、を行う、媒体。
【請求項１７】
前記コンテンツアイテム選択工程は、ユーザデータを用いて複数のアイテムの順位を決定する工程を含む、請求項１６に記載の媒体。
【請求項１８】
サービスプロバイダは、ウェブ制作者、イメージコンテンツプロバイダ、ビデオコンテンツプロバイダ、ニュース制作者、およびサービスプロバイダからなる群から選択される、請求項１６に記載の媒体。
【請求項１９】
ユーザデータは、ユーザの購入履歴、ウェブブラウジング履歴、イメージ閲覧履歴、ビデオコンテンツアイテム閲覧履歴、ニュースコンテンツアイテム閲覧履歴、クリックスルーレート、およびソーシャルネットワーキングシステムデータからなる群から選択される、請求項１６に記載の媒体。
【請求項２０】
コンテンツアイテムは、広告、ニュース記事、ビデオ、イメージ、およびソーシャルネットワーキングシステムのニュースフィード記事からなる群から選択される、請求項１６に記載の媒体。